(57)【要約】【課題】  立位撮影などＸ線管装置を回転して撮影する手技においても視認性、操作性を悪化させることなく使用できるＸ線撮影装置を提供する。【解決手段】  本発明Ｘ線撮影装置は、被検体にＸ線を照射するＸ線管装置13と、被検体を透過したＸ線を受像するＸ線受像装置10,18と、Ｘ線管装置13を回転自在に支持する支持機構16と、Ｘ線管装置13に設けられて撮影条件の設定を行う操作部20と、操作部20に設けられて撮影条件などを表示するタッチパネル付表示器21を有する。さらにＸ線管装置13の回転角度を検出する角度検出器25と、この角度検出器25の検出結果に基づいて、タッチパネル付表示器21の表示内容を横表示操作画面または縦表示操作画面に切り替える切替制御手段26を備える。【選択図】  図２
2006034727.tif 000002
【特許請求の範囲】
【請求項１】
被検体にＸ線を照射するＸ線管装置と、
被検体を透過したＸ線を受像するＸ線受像装置と、
Ｘ線管装置を回転自在に支持する支持機構と、
Ｘ線管装置に設けられて撮影条件の設定を行う操作部と、
操作部に設けられて撮影条件の設定手段と撮影条件とを表示するタッチパネル付表示器とを有するＸ線撮影装置において、
前記Ｘ線管装置の回転角度を検出する角度検出センサと、
この角度検出センサの検出結果に基づいて、タッチパネル付表示器の表示内容を横表示操作画面または縦表示操作画面に切り替える切替制御手段とを有することを特徴とするＸ線撮影装置。
【請求項２】
切替制御手段は、さらにタッチパネル付表示器の表示内容を上下反転表示画面にも切替可能であることを特徴とする請求項１に記載のＸ線撮影装置。
【請求項３】
横表示操作画面と縦表示操作画面の表示情報が実質的に同様のレイアウトであることを特徴とする請求項1または２に記載のＸ線撮影装置。
【請求項４】
タッチパネル付表示器の縦横のドット数を同一としたことを特徴とする請求項３に記載のＸ線撮影装置。
【請求項５】
被検体にＸ線を照射するＸ線管装置と、
被検体を透過したＸ線を受像するＸ線受像装置と、
Ｘ線管装置を回転自在に支持する支持機構と、
Ｘ線管装置に設けられて撮影条件の設定を行う操作部と、
操作部に設けられて撮影条件の設定手段と撮影条件とを表示するタッチパネル付表示器とを有するＸ線撮影装置において、
前記Ｘ線管装置の回転角度を検出する角度検出センサと、
Ｘ線管装置に対して操作部を回転自在に支持する回転連結機構と、
角度検出センサの検出結果に基づいて、Ｘ線管装置の回転角度に関わらず操作部を常に基準方向に保持するように回転連結機構を制御する回転制御部とを有することを特徴とするＸ線撮影装置。
【請求項６】
被検体にＸ線を照射するＸ線管装置と、
被検体を透過したＸ線を受像するＸ線受像装置と、
Ｘ線管装置を回転自在に支持する支持機構と、
Ｘ線管装置に設けられて撮影条件の設定を行う操作部と、
操作部に設けられて撮影条件の設定手段と撮影条件とを表示するタッチパネル付表示器とを有するＸ線撮影装置において、
前記Ｘ線管装置の回転角度を検出する角度検出センサと、
角度検出センサの検出結果に基づいて、Ｘ線管装置の回転角度に関わらずタッチパネル付表示器の表示内容を常に基準方向に保持するように制御する表示回転制御部とを有することを特徴とするＸ線撮影装置。
【発明の詳細な説明】
【技術分野】
【０００１】
本発明はＸ線撮影装置に関する。特に、Ｘ線管装置側に、撮影条件を設定するタッチパネル付表示器を設けたＸ線撮影装置に関する。
【背景技術】
【０００２】
一般のＸ線撮影装置として、臥位撮影台と立位撮影台を組み合わせたシステムが知られている（例えば特許文献１）。このシステムは、被検体にＸ線を照射するＸ線管装置と、Ｘ線管装置の下方に配された臥位撮影台と、Ｘ線管装置の側方に配された立位撮影台とを有している。Ｘ線管装置は、例えば天井から支持装置により支持され、この支持装置に対して回転自在に連結されている。また、Ｘ線管装置には、撮影条件を設定する操作ボタンや設定した撮影条件が表示されるタッチパネル付表示器が設けられている。
【０００３】
上記のシステムにおいて、臥位撮影台を使用した撮影では、Ｘ線を下方に向けて照射し、撮影台上の被検体にＸ線を照射する。また、撮影手技によっては、臥位撮影台を使用した撮影でもＸ線管装置を所定角度回転して撮影することがある。一方、立位撮影台を使用した撮影では、Ｘ線管装置を90°回転し、立位撮影台とＸ線管装置との間に位置する被検体に対してＸ線を水平方向に照射する。
【０００４】
いずれの場合も、臥位撮影台または立位撮影台には、フィルムやイメージングプレートの入った撮影用カセッテが設置され、このフィルムやイメージングプレートで被検者の透過Ｘ線を受像してＸ線画像を得ている。
【０００５】
【特許文献１】特開2003-47608号公報
【発明の開示】
【発明が解決しようとする課題】
【０００６】
しかし、上記の従来技術では、表示パネルの視認性や撮影条件の設定作業の操作性に劣るという問題がある。
【０００７】
立位撮影のようにＸ線管装置を90°回転して使用すると、Ｘ線管装置と一体のタッチパネル付表示器も一緒に回転し、表示内容も90°回転した状態になる。このため、この表示器の表示文字が90°回転して視認性が悪化するだけでなく、操作ボタンの配置も90°回転した状態で操作することになり操作性も悪化する。同様に、立位撮影以外でもＸ線管装置を回転して撮影する手技では視認性、操作性が悪化する。
【０００８】
従って、本発明の主目的は、立位撮影などＸ線管装置を回転して撮影する手技においても視認性、操作性を悪化させることなく使用できるＸ線撮影装置を提供することにある。
【課題を解決するための手段】
【０００９】
本発明では、Ｘ線管装置の回転に伴って、タッチパネル付表示器の表示内容を回転して切替表示したり、タッチパネル付表示器自体あるいは表示内容を回転させることで上記の目的を達成する。
【００１０】
まず、本発明の第一の構成からなるＸ線撮影装置は、被検体にＸ線を照射するＸ線管装置と、被検体を透過したＸ線を受像するＸ線受像装置と、Ｘ線管装置を回転自在に支持する支持機構と、Ｘ線管装置に設けられて撮影条件の設定を行う操作部と、操作部に設けられて撮影条件の設定手段と撮影条件とを表示するタッチパネル付表示器とを有する。そして、前記Ｘ線管装置の回転角度を検出する角度検出センサと、この角度検出センサの検出結果に基づいて、タッチパネル付表示器の表示内容を横表示操作画面または縦表示操作画面に切り替える切替制御手段とを有することを特徴とする。
【００１１】
この第一の構成によれば、Ｘ線管装置の回転に伴って、タッチパネル付表示器の表示内容を横表示操作画面または縦表示操作画面に切り替えることができる。そのため、Ｘ線管装置が回転したときでも、表示器の表示内容の視認性や設定作業の操作性を損なうことがない。
【００１２】
上記のＸ線撮影装置において、切替制御手段は、さらにタッチパネル付表示器の表示内容を上下反転表示画面にも切替可能であることが好ましい。Ｘ線撮影装置は、Ｘ線管装置を±180°回転できるように設計されていることが多い。その場合、Ｘ線管装置は基準方向から上下逆転した位置まで回転されるため、タッチパネル付表示器の表示内容を上下反転した表示画面とすることで、Ｘ線管装置が上下逆転したときでも、表示器の表示内容の視認性や設定作業の操作性を損なうことがない。
【００１３】
また、横表示操作画面と縦表示操作画面の表示情報が実質的に同様のレイアウトであることが望ましい。横表示操作画面と縦表示操作画面のレイアウトが同様であれば、両操作画面が切り替わった場合でも違和感なくＸ線撮影装置の操作を行なうことができる。
【００１４】
特に、横表示操作画面と縦表示操作画面は、各画面での表示内容の各々を実質的に同一サイズとし、かつ実質的に共通するレイアウトに再配列して切り替えられることが好ましい。単に横表示操作画面と縦表示操作画面との切り替えを行った場合、表示器が長方形であれば、表示内容の一部が欠けたり、何も表示されない無効部分が大きくなる。表示内容の一部が欠けることを回避するには、表示内容を全体的に縮小表示することなども考えられるが、その場合は表示内容が小さくなって視認性を低下させることになる。そこで、横表示操作画面と縦表示操作画面は、各画面での表示内容を実質的に同一のサイズとすれば、両操作が切り替わった際に違和感なく操作することができる。より具体的には、両操作画面を実質的に共通するレイアウトに再配列して表示する。例えば、横表示操作画面から縦表示操作画面に切り替わる場合は、各表示内容の配置間隔を幅方向に圧縮すると共に縦方向に伸張して再配列し、縦表示操作画面から横表示操作画面に切り替わる場合は、その逆に再配列して画面の切り替えを行うことで、長方形の表示器の表示エリアを有効に使用することができる。
【００１５】
とりわけ、タッチパネル付表示器の縦横のドット数を同一とすることが好ましい。タッチパネル付表示器は、通常、縦横に多数のドットが座標状に配された構成となっている。このドットを縦と横で同一数とすることで、横表示操作画面の場合と縦表示操作画面の場合のいずれも全く同一の表示画面とすることが可能で、一層操作性を高めることができる。
【００１６】
また、本発明の第二の構成からなるＸ線撮影装置は、被検体にＸ線を照射するＸ線管装置と、被検体を透過したＸ線を受像するＸ線受像装置と、Ｘ線管装置を回転自在に支持する支持機構と、Ｘ線管装置に設けられて撮影条件の設定を行う操作部と、操作部に設けられて撮影条件の設定手段と撮影条件とを表示するタッチパネル付表示器とを有する。そして、前記Ｘ線管装置の回転角度を検出する角度検出センサと、Ｘ線管装置に対して操作部を回転自在に支持する回転連結機構と、角度検出センサの検出結果に基づいて、Ｘ線管装置の回転角度に関わらず操作部を常に基準方向に保持するように回転連結機構を制御する回転制御部とを有することを特徴とする。
【００１７】
この第二の構成によれば、Ｘ線管装置の回転に伴って、同装置の回転方向と逆方向にタッチパネル付表示器を回転させることが可能で、見かけ上、タッチパネル表示器を回転しないようにできる。これにより、常時タッチパネル付表示器を基準方向に保持することができ、表示文字の視認性が確保でき、操作ボタンの配置も変わらないため操作性が悪化することも回避できる。
【００１８】
この第二の構成では、支持機構に対してＸ線管装置が回転自在に装着され、さらにＸ線管装置に対して操作部（タッチパネル付表示器）が回転自在に装着されている。Ｘ線管装置に対する操作部の回転は、例えばモータを用いて行えばよい。支持機構に対してＸ線管装置が回転された際、その逆方向にＸ線管装置の回転角度と同じ角度だけ操作部をＸ線管装置に対して回転させる。この回転は、Ｘ線管装置の回転角度を角度検出センサで検出し、その検出結果から操作部の回転方向と回転角度を求め、モータに対して求められた回転方向と回転角度を指令することにより行なうことができる。
【００１９】
さらに、本発明の第三の構成からなるＸ線撮影装置は、被検体にＸ線を照射するＸ線管装置と、被検体を透過したＸ線を受像するＸ線受像装置と、Ｘ線管装置を回転自在に支持する支持機構と、Ｘ線管装置に設けられて撮影条件の設定を行う操作部と、操作部に設けられて撮影条件の設定手段と撮影条件とを表示するタッチパネル付表示器とを有する。そして、前記Ｘ線管装置の回転角度を検出する角度検出センサと、角度検出センサの検出結果に基づいて、Ｘ線管装置の回転角度に関わらずタッチパネル付表示器の表示内容を常に基準方向に保持するように制御する表示回転制御部とを有することを特徴とする。
【００２０】
この第三の構成によれば、Ｘ線管装置の回転に伴って、タッチパネル付表示器の表示内容を回転させる。それにより、見かけ上、タッチパネル表示器の表示内容を回転しないようにできる。そのため、Ｘ線管装置が回転したときでも、表示器の表示内容の視認性や設定作業の操作性を損なうことがない。
【００２１】
この第三の構成では、一般的な矩形のタッチパネル表示器を用い、その表示器の画面内で円形の表示ウィンドウを形成し、その表示ウィンドウを回転するようにしてもよいが、タッチパネル表示器自体を円形のものとすることが好ましい。表示ウィンドウあるいはタッチパネル表示器自体が円形であれば、違和感なく表示内容を任意の角度に回転することができる。
【００２２】
上記第一・第二・第三のいずれの構成においても、Ｘ線撮影装置は、Ｘ線管装置に撮影条件の設定を行う操作部が設けられ、この操作部にタッチパネル付表示器が設けられているものであれば、特に限定されない。
【００２３】
Ｘ線管装置を支持する支持機構も、Ｘ線管装置を回転自在に支持できるものであれば、天井に設置されている支持機構でも良いし、Ｘ線撮影装置自体に設けられたアームなどであってもよい。
【００２４】
Ｘ線受像機構も種々の構成が利用できる。フィルムやイメージングプレートの入った撮影用カセッテが設置された撮影台を有するものはもちろん、イメージインテンシファイヤとTVカメラとを組み合わせてＸ線画像を出力する構成や、フラットパネルディテクタ(FPD)を備えてＸ線画像を出力する構成が利用できる。
【００２５】
タッチパネル付表示器の表示内容には、Ｘ線撮影装置の操作に必要な操作ボタンや撮影に際して設定する必要のある種々の条件などが含まれ、特定の内容に限定されるわけではない。例えば、撮影台切替ボタン、Ｘ線管保持装置の設定ボタンとその設定情報、撮影条件設定ボタンとその設定条件、アナトミカルプログラムボタン、Ｘ線照射結果、拡張機能操作ボタンなどが含まれる。撮影条件には、管電圧、管電流、撮影時間または管電流時間積などが含まれる。
【発明の効果】
【００２６】
本発明Ｘ線撮影装置によれば、Ｘ線管装置の回転角度に応じてタッチパネル上の操作ボタンと表示情報を回転、再配列表示したり、タッチパネル自体あるいはタッチパネルの表示内容が見かけ上回転しないようにすることができる。そのため、臥位撮影や立位撮影などＸ線管装置の向きが異なっていても視認性、操作性を損なうことなく撮影条件の設定を行うことができる。
【００２７】
また、単に回転させるのではないので、長方形の表示器の表示エリアを有効に使用できる。
【発明を実施するための最良の形態】
【００２８】
以下、本発明の実施の形態を説明する。
【実施例１】
【００２９】
図1は病院のＸ線検査室に設置した本発明装置の概略図である。このＸ線検査室は操作室1と撮影室2よりなる。この二つの操作室1と撮影室2とは、鉛ガラスよりなる窓3を有するＸ線に対する防護壁4により隔離されている。
操作室1には、撮影のＸ線条件を設定する操作卓7と、後述する撮影室2に設置されたデジタルＸ線受像装置10、18からデータを取り込んで撮影画像を作成する画像処理装置51と、撮影画像を表示するモニター54が配置される。この操作卓7は、床面5から支持台8により支持され、撮影用ハンドスイッチ52が設けられている。
【００３０】
撮影室2には、臥位撮影台11および立位撮影台19が設置され、各撮影台にはFPD等デジタルＸ線受像装置10、18が内蔵されている。デジタルＸ線受像装置10、18は被検体を透過したＸ線を可視画像データに変換出力する。臥位撮影台11のＸ線受像装置10は水平面沿いに、立位撮影台19のＸ線受像装置18は垂直面沿いに配置されている。そして、臥位撮影台11には、撮影用フットスイッチ53が接続されている。
【００３１】
一方、臥位撮影台11の上方で立位撮影台19の側方には、Ｘ線管装置13が対向配置される。Ｘ線管装置13はＸ線管を備え、このＸ線管に撮影室2内に設置されるＸ線高電圧制御装置9から所定の高電圧を供給して、そのＸ線管から撮影台11の上または撮影台19の前方に位置する被検体にＸ線を照射する。このＸ線管装置13は、さらにＸ線の照射野を規定する可動絞り装置12が設けられている。
【００３２】
このようなＸ線管装置13は撮影室２の天井6から支持機構16を介して支持されている。支持機構16は、伸縮自在の支柱部14と、天井6に設置したレール17により支柱部14を前後左右に移動可能な台車部15とからなる。支柱部14は、その先端にＸ線管装置13を回転自在に支持する。
【００３３】
さらに、Ｘ線管装置13には、支持機構16と可動絞り装置12の操作ならびに撮影条件の設定を行う操作部20と、Ｘ線管装置13を所定の向きに変える際に把持するハンドル24が設けられている。操作部20は、可動絞り操作ボタン22および支持機構操作ボタン23と共にタッチパネル付表示器21を有する。このタッチパネル付表示器21からの操作で、操作室１の操作卓7と同様に撮影条件も設定することができる。また、この操作部20とハンドル24を操作してＸ線管装置13（可動絞り装置12）を、撮影手技に応じて−180°〜＋180°の範囲で回転させることができるようになっている。この回転角度は、操作部20に設けられた角度検出器25により検出される。
【００３４】
図2は本発明装置の機能ブロック図である。まず、操作室1の操作卓7は、撮影室２のＸ線高電圧制御装置9に接続され、同装置9に接続されているＸ線管装置13のＸ線照射条件を操作可能になっている。
【００３５】
次に、撮影室2内のＸ線装置に設けられた操作部20は、支柱部14や台車部15を通してＸ線高電圧装置9と接続され、支持機構16の操作だけでなく、Ｘ線照射条件の操作も可能にしている。これら操作部20および支持機構16を含めてＸ線管保持装置とする。
【００３６】
また、操作部20には、Ｘ線管装置13の回転角度を検出する角度検出器25が設けられ、この検出器25の検出結果に伴って、切替制御部26でタッチパネル付表示器21に表示される操作画面の切替制御を行う。
【００３７】
さらに、操作部20は可動絞り装置12とも接続され、可動絞り操作ボタン22により、絞りの開閉やＸ線照射野を確認するためのランプの点灯操作をすることができる。
【００３８】
そして、撮影室2のFPD10、18は、操作室1の画像処理装置51に接続され、取り込んだデータを画像処理装置51に送り、同装置51で画像を作成する。この画像は画像処理装置51に接続したモニター54に表示される。そして、臥位撮影台11および立位撮影台19を支持機構16と連動動作させる場合は、撮影台11、19と支持機構16とを接続する。
【００３９】
次に、本発明装置の動作を図１〜図６に基づいて説明する。図３は臥位撮影を行う場合のＸ線管装置周辺の概略構成図である。臥位撮影を行う場合、オペレータはタッチパネル表示器21にある撮影台切り替えボタン32（図4参照）にて臥位撮影台11を選択し、操作部20の支持機構操作ボタン23とハンドル24を操作して、臥位撮影台11とＸ線管装置13との位置関係を設定する。つまり、図３のように、Ｘ線管装置13は下方の臥位撮影台11に向けて照射できる向きに配置され、タッチパネル付表示器21も横長の方向に配置される。ここでは、このタッチパネル付表示器21の向きを基準方向とする。
【００４０】
この時、タッチパネル付表示器21には横表示操作画面が表示される。図４に示すように、横表示操作画面では、使用する撮影台を選択する撮影台切り替えボタン32と、撮影部位から撮影条件を一括して設定するアナトミカルプログラムボタン33と、撮影条件表示とその設定ボタン34と、Ｘ線照射結果表示35と、Ｘ線管保持装置情報表示と設定ボタン36と、自動露出設定など拡張機能操作ボタン37を横長に表示する。
【００４１】
次に、被検体を臥位撮影台11の上に寝かせ、アナトミカルプログラムボタン33または撮影条件表示と設定ボタン34による撮影条件の設定と、支持機構操作ボタン23およびハンドル24の操作による撮影位置の位置決めを行う。そして、撮影用ハンドスイッチ52または撮影用フットスイッチ53により撮影を行う。
【００４２】
立位撮影を行う場合は、撮影台切り替えボタン32にて立位撮影台19を選択し、支持機構操作ボタン23とハンドル24を操作してＸ線管装置13を90°回転させる。それにより、図５に示すように、デジタルＸ線受像装置18にＸ線管装置13が対向される。
【００４３】
この回転によりＸ線管装置13の回転角度を角度検出器25が検出すると、タッチパネル付表示器21の表示内容を縦表示操作画面31に切り替えて表示する。すなわち、図６に示すように、撮影台切り替えボタン32、アナトミカルプログラムボタン33、撮影条件表示と設定ボタン34、Ｘ線照射結果表示35、Ｘ線管保持装置情報表示と設定ボタン36および拡張機能操作ボタン37の各表示内容は再配列されて、縦長の縦表示操作画面31として表示される。
【００４４】
次に、被検体を撮影台19の前に立たせ、撮影条件の設定と撮影位置の位置決めを行い撮影する。この時、縦表示操作画面31は、標準の表示情報と操作ボタン（符号32〜37）の位置関係を横表示操作画面30とほぼ同一としているので、横表示操作画面30と縦表示操作画面31が切り替わっても違和感なく撮影条件の設定操作をすることができる。
【００４５】
さらにＸ線管装置13を回転して−180°または＋180°の回転位置に近接した場合、タッチパネル付表示器21は上下が反転した横表示操作画面（図示せず）を表示する。上下反転横表示操作画面は、図4の横表示操作画面30の上下が逆転した表示である。
【００４６】
続いて、上述した本発明装置における切替制御部の動作手順を図７のフローチャートに従って説明する。このフローチャートに示す処理は、角度検出器25で角度の変化を検出すると起動して実行される。
【００４７】
ステップ501：
角度検出器25によりＸ線管装置13の回転を検出すると処理を開始する。
【００４８】
ステップ502：
Ｘ線管装置13の角度を判定し、その角度が−46°〜−135°ならステップ503へ、−45°〜＋45°ならステップ504へ、＋46°〜＋135°ならステップ505へ、−136°〜−180°または＋136°〜＋180°ならステップ506へ進む。
【００４９】
ステップ503：
Ｘ線管装置13が図３の基準方向から右回りに旋回されているため、基準方向におけるタッチパネル付表示器21の左辺を上とし、表示内容を図４の横表示操作画面30から左に90°回転された縦表示操作画面31（図６）に表示を切り替える。
【００５０】
ステップ504：
基準方向の横表示操作画面30（図４）に表示を切り替える。
【００５１】
ステップ505：
Ｘ線管装置13が基準方向から左回りに旋回されているため、基準方向におけるタッチパネル付表示器21の右辺を上とし、表示内容を図４の横表示操作画面30から右に90°回転された縦表示操作画面31（図６）に表示を切り替える。
【００５２】
ステップ506：
タッチパネル付表示器の下辺を上とし、上下が逆転した横操作画面（図４）に表示を切り替える。
【００５３】
ステップ507：
処理を終了する。
【実施例２】
【００５４】
次に、タッチパネル付表示器自体をＸ線管装置に対して回転させる構成を説明する。前記実施例１ではタッチパネル付表示器の表示内容を切り替えて回転させたが、本例では表示内容は切り替えず、Ｘ線管装置13に対してタッチパネル付表示器21を回転する回転連結機構（図示せず）を設ける（図１）。
【００５５】
この実施例２は、切替制御部を用いて表示内容を回転させる代わりに回転連結機構を用いている点を除いて、Ｘ線撮影装置の構成は実施例１と同様であるため、相違点を中心に説明する。
【００５６】
本例でも、支持機構16に対してＸ線管装置13が回転し、その回転角度が角度検出器により検出される点は実施例１と同様である。但し、本例では、さらにＸ線管装置13に対して操作部20が回転する。この操作部20の回転に回転連結機構が用いられる。回転連結機構は、モータにより、Ｘ線管装置13に対して操作部を回転させる。
【００５７】
Ｘ線管装置13が回転されると、その回転角度が角度検出器で検出され、その検出結果は、前記モータの回転制御部に出力される。回転制御部では、Ｘ線管装置13の回転角度と同じ角度で、回転方向が逆向きとなる駆動を操作部20に与えられるようにモータへの制御指令を出力する。この制御指令により、例えばＸ線管装置13が支持機構16に対して左回りに90°回転した場合、操作部をＸ線管装置に対して右回りに90°回転させる。これにより、操作部20は見かけ上回転せず、基準方向を保持するため、表示内容は図４に示した横表示画面のままで何ら支障なく操作を行うことができる。Ｘ線管装置13の回転状態が上記具体例と異なる場合も、操作部の回転が行われることで、Ｘ線管装置13の回転状態に関わらず、常に操作部20の向きを基準方向に保持することができるため、高い視認性と操作性を実現することができる。
【実施例３】
【００５８】
次に、タッチパネル付表示器の表示画面を円形とし、表示内容をＸ線管装置に対して回転させる構成を説明する。前記実施例2ではタッチパネル付表示器自体をＸ線管装置13に対して回転する回転連結機構を設けたが、本例ではタッチパネル付表示器はＸ線管装置13に対して回転せず、同表示器の表示内容だけがＸ線管装置の回転角度に応じて回転する。
【００５９】
この実施例3は、回転連結機構を用いて表示器自体を回転させる代わりに表示回転制御部（図示せず）を用いて表示器中の表示内容を回転させる点を除いて、Ｘ線撮影装置の構成は実施例2と同様であるため、相違点を中心に説明する。
【００６０】
本例でも、支持機構16に対してＸ線管装置13が回転し、その回転角度が角度検出器により検出される点は実施例2と同様である。但し、本例では、操作部に円形のタッチパネル付表示器が設けられ、この表示器の表示内容を表示回転制御部の指令に基づきＸ線管装置の回転角度に応じて回転させ、常に表示内容が基準位置を保持するように制御する。
【００６１】
本例で用いる表示器の表示内容の一例を図8に示す。この図に示すように、円形の表示器内には、図4や図6と若干レイアウトが異なるがほぼ同様の内容が表示される。
【００６２】
Ｘ線管装置13が回転されると、その回転角度が角度検出器で検出され、その検出結果は、表示回転制御部に出力される。表示回転制御部では、Ｘ線管装置13の回転角度と同じ角度で、回転方向が逆向きとなるように表示内容を回転する制御指令を出力する。この制御指令により、例えばＸ線管装置13が支持機構16に対して左回りに90°回転した場合、表示内容をＸ線管装置に対して右回りに90°回転させる。これにより、表示内容は見かけ上回転せず、基準方向を保持するため、何ら支障なく操作を行うことができる。その際、表示内容が回転されても、表示器は円形であるため、回転前後の表示レイアウトは全く同一であり、何らの違和感なくＸ線撮影装置を操作することができる。Ｘ線管装置13の回転状態が上記具体例と異なる場合も、表示内容の回転が行われることで、Ｘ線管装置13の回転状態に関わらず、常に表示内容の向きを基準方向に保持することができるため、高い視認性と操作性を実現することができる。
【産業上の利用可能性】
【００６３】
本発明Ｘ線撮影装置は、特に医療用Ｘ線撮影装置として好適に利用することができる。
【図面の簡単な説明】
【００６４】
【図１】本発明装置の全体構成を示す概略図である。
【図２】本発明装置の機能ブロック図である。
【図３】本発明装置で臥位撮影する際のＸ線管装置と撮影台の配置関係を示す説明図である。
【図４】臥位撮影における横表示操作画面を示す説明図である。
【図５】本発明装置で立位撮影する際のＸ線管装置と撮影台の配置関係を示す説明図である。
【図６】立位撮影における縦表示操作画面を示す説明図である。
【図７】本発明装置の切替制御手段の処理手順を示すフローチャートである。
【図８】実施例３における円形の操作画面を示す説明図である。
【符号の説明】
【００６５】
1  操作室  2  撮影室  3  窓  4防護壁  5  床  6  天井
7  操作卓  8  支持台  9  Ｘ線高電圧制御装置
10  デジタルＸ線受像装置  11  臥位撮影台  12  可動絞り装置
13  Ｘ線管装置  14  支柱部  15  台車部  16  支持機構
17  レール  18デジタルＸ線受像装置  19  立位撮影台
20  操作部  21  タッチパネル付表示器
22  可動絞り操作ボタン  23  支持機構操作ボタン
24  ハンドル  25  角度検出器
30  横表示操作画面  31  縦表示操作画面
32  撮影台切り替えボタン  33  アナトミカルプログラムボタン
34  撮影条件表示とその設定ボタン  35  Ｘ線照射結果表示
36  Ｘ線管保持装置情報表示とその設定ボタン
37  拡張機能操作ボタン
56  撮影台切り替えボタン  57  アナトミカルプログラムボタン
58  撮影条件表示と設定ボタン  59  Ｘ線照射結果表示
60  Ｘ線管保持装置情報表示と設定ボタン  61  拡張機能操作ボタン
51  画像処理装置  52  撮影用ハンドスイッチ
53  撮影用フットスイッチ  54  モニター
【図１】
2006034727.tif 000003
【図２】
2006034727.tif 000004
【図３】
2006034727.tif 000005
【図４】
2006034727.tif 000006
【図５】
2006034727.tif 000007
【図６】
2006034727.tif 000008
【図７】
2006034727.tif 000009
【図８】
2006034727.tif 000010